(57)【要約】      （修正有）【課題】複数の記録エリアに記録されたオーディオデータの聞き比べを容易に行うことのできる光ディスク再生装置を提供する。【解決手段】操作指示を入力する入力部７と、オーディオデータを一時記憶する記憶部９と、オーディオデータをデコードするデコーダ部と、デコーダ部がデコードしたオーディオデータを出力する出力部と、再生装置全体を制御する制御部６を備え、該制御部６は、一方の記録密度のオーディオデータの再生途中に他方の記録密度のオーディオデータの再生要求を受信したとき、一方の記録密度のオーディオデータの再生していた位置から所定期間分のデータを先読みして前記記憶部９に記憶し、記憶したデータをデコーダ部に出力させると共に、再生要求を受信したときから所定期間経過後、一方の記録密度のオーディオデータの再生していた位置に相当する位置から前記所定期間経過した位置から、他方の記録密度のオーディオデータの再生を開始する。【選択図】  図１
2006099870.tif 000002
【特許請求の範囲】
【請求項１】
同一のオーディオデータを異なる記録密度で記録した光ディスクを再生する光ディスク再生装置において、
利用者が操作指示を入力する入力部と、
光ディスクに異なる記録密度で記録されたそれぞれのオーディオデータを一時記憶する記憶部と、
光ディスクに記録されたオーディオデータおよび前記記憶部に一時記憶したオーディオデータをデコードするデコーダ部と、
前記デコーダ部がデコードしたオーディオデータを出力する出力部と、
再生装置全体を制御する制御部を備え、
該制御部は、一方の記録密度のオーディオデータの再生途中に他方の記録密度のオーディオデータの再生要求を受信したとき、
一方の記録密度のオーディオデータの再生していた位置から所定期間分のデータを先読みして前記記憶部に記憶し、記憶したデータを前記デコーダ部に出力させると共に、
再生要求を受信したときから所定期間経過後、一方の記録密度のオーディオデータの再生していた位置に相当する位置から前記所定期間経過した位置から、他方の記録密度のオーディオデータの再生を開始することを特徴とする光ディスク再生装置。
【請求項２】
請求項１記載の光ディスク再生装置において、
前記制御部は、一方の記録密度で記録されたオーディオデータに相当するデータが同一の媒体中に他方の記録密度で記録されていないとき、前記再生していた位置はハイブリッドレイヤディスクのエクストラトラックである旨の表示を行うことを特徴とする光ディスク再生装置。
【請求項３】
請求項１記載の光ディスク再生装置において、
前記制御部は、オーディオデータの再生開始前に光ディスクに記録された複数の記録エリアの管理情報を読み込んで保存し、保存した管理情報に基づいて、他方の記録密度のオーディオデータの一方の記録密度のオーディオデータの再生していた位置に相当する位置から所定期間経過した位置を検索することを特徴とする光ディスク再生装置。
【発明の詳細な説明】
【技術分野】
【０００１】
本発明は、光ディスク再生装置に係り、特に、２つ以上の情報記録層を有する多層ディスクに記録されたデータを再生する光ディスク再生装置に関する。
【背景技術】
【０００２】
デジタルオーディオデータを記録した光ディスクとして、ＣＤ−ＤＡ（Compact Disk-Digital Audio）がある。このＣＤ−ＤＡは、４４．１ｋＨｚのサンプリング周波数でサンプリングされた１６ビットのデジタルオーディオデータを１．６μｍのトラックピッチで記録している。また、サンプリング周波数が２８２２．４ｋＨｚでデルタシグマ変調された１ビットのデジタルオーディオデータを０．７４μｍのトラックピッチで記録した高記録密度の光ディスクもある（例えば、非特許文献１参照）。
【０００３】
高記録密度の光ディスクとしては、上述の２８２２．４ｋＨｚでサンプリングされデルタシグマ変調された１ビットのデジタルオーディオデータを記録した記録層（以下、ＨＤ（High Definition）レイヤーという）と、４４．１ｋＨｚでサンプリングされた１６ビットのデジタルオーディオデータを記録した記録層（以下、ＣＤレイヤーという）の２つの記録層を有するハイブリットレイヤーディスクもある。
【０００４】
また、このハイブリッドレイヤーディスクの他に、１層のＨＤレイヤーのみを有するシングルレイヤーディスク、２層のＨＤレイヤーを有するデュアルレイヤーディスクがある。なお、これらの光ディスクは、いずれもＣＤと同一の形状である（例えば、非特許文献２参照）。
【０００５】
また、高記録密度の光ディスクにおけるＨＤレイヤーは、２チャンネルのデジタルオーディオデータを記録する２チャンネルステレオエリアと、６チャンネルまでのマルチチャンネルのデジタルオーディオデータを記録するマルチチャンネルエリアを備えている。
【０００６】
ハイブリッドレイヤーディスクを再生することができる光ディスク再生装置は、光ピックアップから照射されるレーザ光の波長及び対物レンズの開口率を変化させることにより、ＨＤレイヤー及びＣＤレイヤーに記録されたデジタルオーディオデータを読み取ることができる。この光ディスク再生装置は、再生する記録層としてＨＤレイヤー又はＣＤレイヤーを切り換える指示をするレイヤー切換ボタンを備える（例えば、特許文献１参照）。また、ＨＤレイヤーに備えられる２チャンネルステレオエリアとマルチチャンネルエリアを切り換えて再生指示をするエリア切換ボタンを備えた再生装置もある。
【０００７】
ハイブリッドレイヤーディスクのＨＤレイヤー及びＣＤレイヤーに記録されたデジタルオーディオデータには、通常、同一の楽曲が含まれている。このため、ＣＤレイヤーのみを再生することが可能なＣＤプレーヤでハイブリッドレイヤーディスクを再生する場合、ハイブリッドレイヤーディスクのＣＤレイヤーに記録されたデジタルオーディオデータを再生することにより、ＨＤレイヤーに記録された楽曲と同一のデジタルオーディオデータを鑑賞することができる。
【０００８】
このように、ハイブリッドレイヤーディスクのＨＤレイヤー及びＣＤレイヤーにはそれぞれ同一の楽曲がオーディオデータとして記録されていることから、ＨＤレイヤー及びＣＤレイヤーに記録されたデジタルオーディオデータのどちらも再生可能な光ディスク再生装置においては、ＨＤレイヤーに記録されたオーディオデータを再生させた場合とＣＤレイヤーに記録されたオーディオデータを再生させた場合との音質の違いを検証したい場合が生じる。
【０００９】
例えば、光ディスク再生装置を販売する店頭などにおいて再生する楽曲をユーザに試聴させる場合、ＨＤレイヤーに記録されたオーディオデータを再生させた場合とＣＤレイヤーに記録されたオーディオデータを再生させた場合における音質の違いを明確に認識させることが必要となる。このような場合、レイヤー切換ボタンによって再生されるオーディオデータのレイヤーをＨＤレイヤーからＣＤレイヤーに、またＣＤレイヤーからＨＤレイヤーへ切り換えることになる。これによりそれぞれのレイヤーに記録されたオーディオデータの音質を聞き比べることができる。
【非特許文献１】“スーパーオーディオＣＤとは”〔online〕、〔平成１６年３月８日検索〕、インターネット〈URL:http://www.super-audiocd.com/aboutsacd/format.html〉
【非特許文献２】「エレクトロニクス」，株式会社オーム社，１９９９年５月１日，第４４巻第５号，ｐ．９２−９７
【特許文献１】特開平１１−２９６８６１号公報
【発明の開示】
【発明が解決しようとする課題】
【００１０】
しかしながら、従来の光ディスク再生装置を用いて前述したような聞き比べを行なう場合、例えば、ディスクの回転を停止状態にし、読み込みを行うレイヤーを切り替えた後、再度ディスクを回転駆動して再生を開始する。このため、レイヤーの切り換え期間中、再生音が停止する。このように再生音が一旦停止するため、停止前に試聴した曲の音質の印象が薄れる。このため、正確に聞き比べを行うことが困難となる。
【００１１】
本発明は、これらの問題点に鑑みてなされたもので、複数の記録エリアに記録されたオーディオデータの聞き比べを容易に行うことのできる光ディスク再生装置を提供する。
【課題を解決するための手段】
【００１２】
本発明は上記課題を解決するため、次のような手段を採用した。
【００１３】
同一のオーディオデータを異なる記録密度で記録した光ディスクを再生する光ディスク再生装置において、利用者が操作指示を入力する入力部と、光ディスクに異なる記録密度で記録されたそれぞれのオーディオデータを一時記憶する記憶部と、光ディスクに記録されたオーディオデータおよび前記記憶部に一時記憶したオーディオデータをデコードするデコーダ部と、前記デコーダ部がデコードしたオーディオデータを出力する出力部と、
再生装置全体を制御する制御部を備え、該制御部は、一方の記録密度のオーディオデータの再生途中に他方の記録密度のオーディオデータの再生要求を受信したとき、一方の記録密度のオーディオデータの再生していた位置から所定期間分のデータを先読みして前記記憶部に記憶し、記憶したデータを前記デコーダ部に出力させると共に、再生要求を受信したときから所定期間経過後、一方の記録密度のオーディオデータの再生していた位置に相当する位置から前記所定期間経過した位置から、他方の記録密度のオーディオデータの再生を開始する。
【発明の効果】
【００１４】
本発明は、以上の構成を備えるため、複数の記録エリアに記録されたオーディオデータの聞き比べを容易に行うことができる。
【発明を実施するための最良の形態】
【００１５】
以下、最良の実施形態を添付図面を参照しながら説明する。図１は、本発明の実施形態に係る光ディスク再生装置を説明する図である。図１において、１はハイブリッドレイヤーディスクであり、ＨＤレイヤーから成るＳＡＣＤ層とＣＤレイヤーから成るＣＤ層の２層で構成されている。２はディスク１からデータを読み出す為のピックアップであり、ＨＤレイヤーとＣＤレイヤーでは物理特性が異なるため、それぞれ専用のレーザー光源を備えている。３はディスクから読み出したオーディオデータをデコードするためのデコーダ部である。
【００１６】
なお、ＨＤレイヤーとＣＤレイヤーでは記録されたデータの型式が異なり、ＨＤレイヤーではＤＳＤ（Direct Stream digital）又はＤＳＴ(Direct Stream Transfer)と呼ばれる方式で、ＣＤレイヤーではＰＣＭ（Pulse Code Modulation）方式で記録されている。このため、デコード方式も異なり、デコーダ部３の設定もそれぞれ異なる。
【００１７】
４は信号処理部であり、ピックアップ２を介してディスク１からデータを読み出すための図示しないサーボ機構の制御、あるいはディスク１から読み出したデータをデコーダ３でデコードできるデータ形式に変換する処理を行う。５は表示部であり、システムの状態や再生しているレイヤーがＨＤレイヤーであるかＣＤレイヤーであるかを示す情報等を表示する。表示部としては、ＬＣＤ表示部あるいはＴＶへのオンスクリーン表示等を用いることができる。６はシステム全体をコントロールする制御部であり、ピックアップ２、デコーダ部３、信号処理部４、表示部５、ＲＡＭ８及び記憶部９を制御する。７は入力部であり、再生する層を切り換えて指定するための切り換え指示部７０１やその他のシステムを制御するための操作部を備える。８はＲＡＭであり、ディスク１から読み出したＴＯＣ（Table Of Contents）等のデータ、あるいはサーボの調整値等を保持する。９は記憶部であり、制御部６の制御により、ディスク１から読み出したオーディオデータを記憶する。デコーダ部３はディスク１から読み出したオーディオデータまたは記憶部９に記憶したオーディオデータをデコードする。１０は出力部であり、デコーダ部３から出力されたオーディオデータを出力する。
【００１８】
次に、前記ハイブリッドレイヤーディスクにおけるＨＤレイヤーの構造を説明する。ＨＤレイヤーには、光ディスクの内周側から外周側に向かってリードインゾーン、データゾーン、リードアウトゾーンがこの順に形成されている。データゾーンは、ファイルシステムエリア、マスターＴＯＣ（Table Of Contents）エリア、オーディオエリア及びエクストラデータエリアを備える。マスターＴＯＣエリアには、ディスクに関する情報、エリアに関する情報、トラックに関する情報などが記録されている。オーディオエリアには、２チャンネルのデジタルオーディオデータを記録する２チャンネルステレオエリア及び６チャンネルまでのマルチチャンネルのデジタルオーディオデータを記録するマルチチャンネルエリアを備える。２チャンネルステレオエリアとマルチチャンネルエリアには、デジタルオーディオデータをトラックナンバー順に記録するトラックエリアを備え、このトラックエリアの前後に２つのエリアＴＯＣ（エリアＴＯＣ−１、エリアＴＯＣ−２）が配置されている。このエリアＴＯＣ−１、エリアＴＯＣ−２には同じ情報を記録し、ＴＯＣデータの信頼性を高めている。
【００１９】
２チャンネルステレオエリアに配置されたエリアＴＯＣには、トラックエリアに記録される２チャンネルのデジタルオーディオデータのトラックを管理する情報などが記録されている。また、マルチチャンネルエリアに配置されたエリアＴＯＣには、トラックエリアに記録されるマルチチャンネルのデジタルオーディオデータのトラックを管理する情報などが記録されている。エクストラデータエリアは、ＣＤレイヤに記録されたオーディオデータ以外のデータを記録するエリアである。
【００２０】
ＣＤレイヤーは、ＣＤの記録層の構造と同一であり、このＣＤレイヤーには、光ディスクの内周から外周に向かってリードインエリア、プログラムエリア、リードアウトエリアが形成されている。プログラムエリアには、デジタルオーディオデータがトラック単位で記録されている。リードインエリアには、プログラムエリアに記録されたトラックを管理するＴＯＣ情報等が記録されている。
【００２１】
このような構成のハイブリッドレイヤーディスクにおいては、前述のようにＣＤレイヤー並びにＨＤレイヤーにおける２チャンネルステレオエリア及びマルチチャンネルエリアには、同一内容のデジタルオーディオデータを収録したトラック（以下メイントラックという。）が記録されている。
【００２２】
また、このメイントラックに加え、ハイブリッドレイヤーディスクのみの特典として音楽の製作模様を収録したオーディオデータやカラオケ演奏などのオーディオデータのトラック（エクストラトラック）が、前記メイントラックの後に追加し記録されることがある。例えば、ＨＤレイヤーとＣＤレイヤーのメイントラックにそれぞれ１０曲の音楽を記録し、更にＨＤレイヤーのメイントラックの後に５曲のエクストラトラックが記録されることがある。
【００２３】
図２は、光ディスク再生装置にディスク１を装填した際の処理を説明する図である。まず、ハイブリッドレイヤーディスクを再生装置にセットする（ステップＳ１）。次いでセットされたディスクがハイブリッドレイヤーディスクであることを確認する（ステップＳ２）。確認に際しては、ピックアップ２からディスク１にレーザー光を照射し、その反射光を用いて確認する方法が一般的である。確認の結果、ディスク１がハイブリッドレイヤーディスクである場合は、制御部６の指示により信号処理部４はＨＤレイヤー（ＳＡＣＤ層）に対するサーボ調整を行う（ステップＳ３）。サーボ調整では、フォーカスサーボ、トラッキングサーボ、スピンドルサーボ等のゲイン、オフセットなどの調整を行う。ＨＤレイヤーに対する調整が終了したら、制御部６は、前述の調整値を信号処理部４から読み出してＲＡＭ８に保存する（ステップＳ４）。
【００２４】
サーボ調整が終了したら、制御部６は信号処理部４を介してＨＤレイヤーのＴＯＣデータのリードを行う（ステップＳ５）。ＨＤレイヤーにはマルチチャンネルエリアとステレオエリアがあり、それぞれ別々のＴＯＣが用意されている。そのどちらのＴＯＣを使用するのかはシステムの仕様で決まり、どちらを用いても本発明は実現可能である。
【００２５】
ステレオエリアを使用した場合は、フロント２チャンネルのみの音声信号が記録されており、ＣＤレイヤー（ＣＤ層）の楽曲データと同じフロント２チャンネルのスピーカがあれば再生可能である。マルチチャンネルエリアを使用した場合は、フロント２チャンネル以外にも音声信号が記録されており、それらをそのまま再生するにはフロント２チャンネル以外のスピーカーが必要になる。しかし、フロント２チャンネル以外のチャンネルをフロント２チャンネルにダウンミックスすることでフロント２チャンネルのスピーカーのみで再生することも可能である。この場合は、ＣＤレイヤーの楽曲と比較することが可能である。
【００２６】
次に、制御部は、読み出したＴＯＣデータ、例えば、ＨＤレイヤーのステレオエリアのみ、又はマルチチャンネルエリアのみ、又はステレオエリアとマルチチャンネルエリアの双方のＴＯＣデータをＲＡＭ８に保存しておく（ステップＳ６）。
【００２７】
その後、制御部６からの指示により信号処理部４はＣＤレイヤーのサーボ調整を行う（ステップＳ７）。この調整は、フォーカスサーボ、トラッキングサーボ、スピンドルサーボ等のゲイン、オフセットなどを調整するのが一般的である。調整が終了したら、制御部６はこれらの調整値を信号処理部４から読み出しＲＡＭ８に保存する（ステップＳ８）。ＣＤレイヤーのサーボの調整が終了したら、制御部６は信号処理部４を介してＣＤレイヤーのＴＯＣデータのリードを行う（ステップＳ９）。制御部６は、読み出したＴＯＣデータをＲＡＭ８に保存しておく（ステップＳ１０）。これにより再生の準備が完了する。
【００２８】
図３は、ディスクの再生途中において再生するレイヤーをＣＤレイヤーからＨＤレイヤーに切り換える処理を説明する図である。まず、再生が停止した状態で、ユーザーが入力部７を操作してＣＤレイヤーの再生開始を要求する（ステップＳ１１）。制御部６はデコーダ部３の設定をＣＤレイヤー再生用に設定し、信号処理部４を介してＣＤレイヤーの再生を開始する（ステップＳ１２）。ＣＤレイヤー再生中に、例えばユーザーが入力部７の切り換え指示部７０１を操作してＣＤレイヤーからＨＤレイヤーへの切替を要求する（ステップＳ１３）。制御部６は、このとき再生していたＣＤレイヤーの再生位置情報を読み出してＲＡＭ８に保存する（ステップＳ１４）。再生位置情報としては、例えば、再生していた楽曲のトラック番号と再生時刻を保存する。
【００２９】
制御部６は、それまで再生していたＣＤレイヤーの再生を継続したままの状態で、再生している時刻から予め定めた時間、例えば、１０秒経過した時刻までのオーディオデータを先読みするようピックアップ２を制御する（ステップＳ１５）。例えば、制御部６の制御により図示しないスピンドルモータを通常よりも速い回転速度で回転させ、ピックアップ２は、この通常よりも高速で回転するディスク１に記録されているオーディオデータを読み取る。これにより、再生している時刻から１０秒経過した時刻までのオーディオデータを先読みすることができる。制御部６の制御により先読みされたオーディオデータは記憶部９に記憶する（ステップＳ１６）。記憶部９へのオーディオデータの記憶が完了後、制御部６は、記憶部９に記憶したオーディオデータを用いて再生を継続するようにデコーダ部３及び記憶部９を制御する（ステップＳ１７）。
【００３０】
その後、制御部６は信号処理部４を介してサーボをＯＦＦにして、ディスク１をフリーラン状態にする（ステップＳ１８）。この状態において制御部６は、図２のステップＳ４で保存しておいたＨＤレイヤーのサーボ調整値をＲＡＭ８から読み出し、この調整値を信号処理部４のサーボ調整値として設定する（ステップＳ１９）。次いで、信号処理部４に対してサーボの投入を行わせる（ステップＳ２０）。サーボの投入が終了したら、制御部６は、ステップＳ１４でＲＡＭ８に保存していた再生位置情報を読み出し、その位置から１０秒経過した位置に相当するＨＤレイヤーの記録位置を信号処理部４を用いてサーチする（ステップＳ２１）。
【００３１】
ＨＤレイヤー（ＳＡＣＤ層）のサーチが完了した後、制御部６はＲＡＭ８に記憶したＣＤレイヤーの再生時刻から再生時間が１０秒経過したか否かを判別し（ステップＳ２２）、１０秒経過した時点で、再生するオーディオデータを記憶部９に記憶したオーディオデータから、ＨＤレイヤー（ＳＡＣＤ層）の前記サーチした位置に記録されているオーディオデータに切り換えるように制御する（ステップＳ２３）。このとき、制御部６は、再生しているオーディオデータがＣＤレイヤーからＨＤレイヤーへ切り換わった旨を表示部５に表示する。
【００３２】
例えば、ＣＤレイヤーの３トラック目の２０秒目を再生している最中に、ユーザが切り換え指示部７０１を操作して再生されるレイヤーの切り換え指示を行った場合、ピックアップ２は制御部６の制御によりＣＤレイヤーの３トラック目の２０秒目から３０秒目までのオーディオデータを先読みし、この先読みしたオーディオデータを記憶部９に記憶する。そしてこの記憶したオーディオデータを用いて再生を継続している間に、ピックアップ２は、ＨＤレイヤーの再生を開始するためのサーボ調整などの準備を行った後、ＨＤレイヤーの３トラック目の３０秒目に相当する記録位置をサーチする。
【００３３】
前記再生を継続しているオーディオデータがＣＤレイヤーの３トラック目の３０秒目になったとき、再生させるオーディオデータを、記憶部９に記憶したオーディオデータから、それまでにピックアップ２がサーチしておいたＨＤレイヤーの３トラック目の３０秒目に相当する位置からのオーディオデータに切り換える。これにより、ＣＤレイヤーの３トラック目の楽曲を聴取していたユーザは、この３トラック目の楽曲を継続して聴取している状態のまま、ＨＤレイヤーに記録されている３トラック目の楽曲を継続して聴取することができる。このとき、再生するオーディオデータがＣＤレイヤーからＨＤレイヤーへ切り換わったことを表示部５が表示することにより、再生されるオーディオデータがＣＤレイヤーからＨＤレイヤーへ切り換わったことをユーザに認識させることができる。
【００３４】
以上、ＣＤレイヤー（ＣＤ層）からＨＤレイヤー（ＳＡＣＤ層）に切り換えて再生する場合の処理に関して説明した。次に、その逆のＨＤレイヤーからＣＤレイヤーに切り換える場合の処理について説明する。
【００３５】
図４は、ディスクの再生途中において再生するレイヤーをＨＤレイヤーからＣＤレイヤーに切り換える処理を説明する図である。
【００３６】
まず、再生が停止した状態でユーザは入力部７を操作してＨＤレイヤーの再生開始を要求する（ステップＳ３１）。制御部６はデコーダ部３の設定をＨＤレイヤー再生用に設定し、信号処理部４によりＨＤレイヤーの再生を開始する（ステップＳ３２）。ＨＤレイヤーの再生中に、ユーザが入力部７の切り換え指示部７０１を操作して、ＨＤレイヤーからＣＤレイヤーへの切換えを要求する（ステップＳ３３）。このとき、制御部６はＲＡＭ８に記憶したＣＤレイヤーのＴＯＣ情報に基づいて、現在ＨＤレイヤーで再生されている楽曲と同一の楽曲を記録したトラックがＣＤレイヤーに有るか否かを検出する（ステップＳ３４）。ＨＤレイヤーで再生されている楽曲と同一の楽曲を記録したトラックがＣＤレイヤーにない場合、制御部６は、ＨＤレイヤーで再生していたトラックはエクストラトラックであり、ＣＤレイヤーに同一のトラックは存在しない旨を表示部５に表示し（ステップＳ３５）、ＨＤレイヤーの再生を継続する（ステップＳ３６）。
【００３７】
ＨＤレイヤーで再生されている楽曲と同一の楽曲を記録したトラックがＣＤレイヤーにある場合、制御部６は、そのとき再生していたＨＤレイヤーの位置情報を読み出し、ＲＡＭ８に保存する（ステップＳ３７）。位置情報としては、再生していた楽曲のトラック番号と再生時刻を保存する。
【００３８】
制御部６は、それまで再生していたＨＤレイヤーの再生を継続したままの状態で、再生している時刻から予め定めた時間、例えば、５秒経過した時刻までのオーディオデータを先読みするようピックアップ２を制御する（ステップＳ３８）。例えば、制御部６の制御により図示しないスピンドルモータを通常よりも速い回転速度で回転させ、ピックアップ２は、この通常よりも高速で回転するディスク１に記録されているオーディオデータを読み取る。これにより、再生している時刻から５秒経過した時刻までのオーディオデータを先読みすることができる。ピックアップ２により先読みされたオーディオデータは、制御部６の制御により記憶部９に記憶する（ステップＳ３９）。記憶部９へのオーディオデータの記憶が完了後、制御部９は、記憶部９に記憶したオーディオデータを用いて再生を継続するようデコーダ部３及び記憶部９を制御する（ステップＳ４０）。
【００３９】
その後、制御部６は、サーボをＯＦＦにし（ステップＳ４１）、ディスク１をフリーラン状態にする。次いで制御部６は、図２に示すステップＳ８で保持しておいたＣＤレイヤーのサーボ調整値をＲＡＭ８から読み出し、この調整値を信号処理部４のサーボ調整値として設定し（ステップＳ４２）、信号処理部４に対してサーボの投入を行わせる（ステップＳ４３）。
【００４０】
制御部６は、ステップＳ３７でＲＡＭ８に記憶しておいたＨＤレイヤーの位置情報を読み出し、その位置から５秒経過した位置に相当するＣＤレイヤーの位置をサーチする（ステップＳ４４）。ＣＤレイヤーのサーチが完了した後、制御部６は、ＲＡＭ８に記憶したＨＤレイヤーの再生時刻から再生時間が５秒経過したか否かを判別し（ステップＳ４５）、経過した場合、再生させるオーディオデータを記憶部９に記憶したオーディオデータから、ＣＤレイヤーの前記サーチした位置に記録されているオーディオデータから再生させるよう制御する（ステップＳ４６）。このとき、制御部６は、再生しているオーディオデータがＨＤレイヤーからＣＤレイヤへ切り換わった旨を表示部５に表示する。
【００４１】
ステップ３４で説明したように、ＨＤレイヤーのみに記録されＣＤレイヤーには存在しないエクストラトラックを再生している途中で、切換指示部７０１を操作して、再生するレイヤーをＨＤレイヤーからＣＤレイヤーに切換えようとした場合には、制御部６は、ＨＤレイヤーで再生していたトラックはエクストラトラックであり、ＣＤレイヤーに同一のトラックは存在しない旨の表示を表示部５に表示し、ＨＤレイヤーの再生を継続する。これにより、ＨＤレイヤーのエクストラトラックの楽曲を聴取していたユーザは、現在再生しているＨＤレイヤーのオーディオデータがエクストラストラックの楽曲であってＣＤレイヤーには記録されていないトラックであることを認識することができる。また、この場合、ＨＤレイヤーの再生を継続することにより、ユーザの切り換え指示部７０１の操作によりそれまで再生されていたＨＤレイヤーのエクストラトラックの再生が途中で停止してしまうことを防止することができる。
【００４２】
次に、前述のように、再生するオーディオデータをＣＤレイヤーからＨＤレイヤーに切換える場合は、切り換え指示部７０１を操作をしてから１０秒経過した時刻に切り換える構成とし、ＨＤレイヤーからＣＤレイヤーに切換える場合は、切り換えボタン７０１を操作をしてから５秒経過した時刻に切り換える構成をとした理由を以下に説明する。
【００４３】
ディスク１の回転は、ＨＤレイヤーを再生する場合とＣＤレイヤーを再生する場合のどちらの場合もＣＬＶ（線速度一定：Constant Liner Velocity）で制御される。ＨＤレイヤーを再生する場合に必要なディスク１の線速度は、約３．４（ｍ／ｓ）であり、ＣＤレイヤーを再生する場合に必要なディスク１の線速度は、約１．２（ｍ／ｓ）である。つまり、ＨＤレイヤーを再生する場合に必要なディスク１の回転速度はＣＤレイヤーを再生する場合に必要なディスク１の回転速度より約３倍速い。
【００４４】
このため、ＣＤレイヤーからＨＤレイヤーへの切換えに必要な時間と、ＨＤレイヤーからＣＤレイヤーへの切換えに必要な時間を比較すると、ＣＤレイヤーを再生している状態からディスク１の回転速度を上昇させてＨＤレイヤーをサーチする方がＨＤレイヤーを再生している状態からＣＤレイヤーをサーチするのに必要な時間より長い時間を要する。このため、再生するオーディデータをＣＤレイヤーからＨＤレイヤーへ切換える場合、切り換え指示部７０１の操作があってから１０秒経過した時刻で再生レイヤーを切り換える構成とし、また、ＨＤレイヤーからＣＤレイヤーへ切換える場合、切り換え指示部７０１の操作があってから５秒経過した時刻で再生レイヤーを切り換える構成とした。
【００４５】
これにより、ＨＤレイヤーからＣＤレイヤーへの再生の切換の場合と、ＣＤレイヤーからＨＤレイヤーへの再生切換の場合において、どちらも切り換え指示部７０１が操作されてから同一の時間後に再生レイヤーを切り換える構成とした場合と比較して、ＨＤレイヤーからＣＤレイヤーへの再生の切り換え時間を短くすることができる。また、ＣＤレイヤーからＨＤレイヤーへ再生を切り換える場合に、ピックアップ２がＨＤレイヤーのサーチが完了していない間に記憶部９に記憶したオーディオデータの再生時間が経過してしまい、再生音が途切れてしまうこと防止することができる。
【００４６】
以上説明したように、本実施形態によれば、ＣＤレイヤーに記録されたオーディオデータとＨＤレイヤーに記録されたオーディオデータを再生させた場合との音質の違いを検証したい場合、オーディオデータを再生している途中において切り換え指示部７０１を操作することによって、それまで聴取していた楽曲が途切れることなく、ＣＤレイヤーに記録されたオーディオデータとＨＤレイヤーに記録されたオーディオデータを聞き比べることができる。
【図面の簡単な説明】
【００４７】
【図１】本発明の実施形態に係る光ディスク再生装置を説明する図である。
【図２】光ディスク再生装置にディスク１を装填した際の処理を説明する図である。
【図３】ディスクの再生途中において再生するレイヤーをＣＤレイヤーからＨＤレイヤーに切り換える処理を説明する図である。
【図４】ディスクの再生途中において再生するレイヤーをＨＤレイヤーからＣＤレイヤーに切り換える処理を説明する図である。
【符号の説明】
【００４８】
１  ディスク
２  ピックアップ
３  デコーダ部
４  信号処理部
５  表示部
６  制御部
７  入力部
８  ＲＡＭ
９  記憶部
７０１  切り換え指示部
【図１】
2006099870.tif 000003
【図２】
2006099870.tif 000004
【図３】
2006099870.tif 000005
【図４】
2006099870.tif 000006